(57)【要約】  【課題】最下部及びその上部の引き出し式貯蔵室の奥行き寸法を同様に確保しながら、使い勝手を向上させた冷蔵庫を提供する。  【解決手段】断熱箱体１０１の背面上部に圧縮機１１３を配設し、最下部に引き出し式第一の冷凍室１０３とその上部に引き出し式野菜室１０４とその左部に引き出し式第二の冷凍室１０５を形成し、形状の異なる複数の冷凍室を設けることで収納物の形状や貯蔵温度によって貯蔵室を使い分けることができ、また、第一の冷凍室１０３と野菜室１０４の背面に冷却室１１４を設け、蒸発器１２１を第一の冷凍室１０３と野菜室１０４にまたがって配設し、第一の冷凍室用収納容器１１９と野菜室用収納容器１２０の奥行きをほぼ同等に拡大し、同様のシンプルな形状としたことにより、第一の冷凍室１０３と野菜室１０４の使い勝手を共に向上させることができるとともに冷蔵庫としての品位を高め、さらには製造コストも軽減できる。【選択図】図１
2007163062.tif 000002
【特許請求の範囲】
【請求項１】
前面を開口した断熱箱体内に複数の貯蔵室を区画形成し、最下部の第一の貯蔵室と前記第一の貯蔵室の上部に仕切壁で区画された第二の貯蔵室の左右どちらか一方に仕切壁で区画された第三の貯蔵室を設けた冷蔵庫において、冷凍サイクルの圧縮機を前記第一の貯蔵室及び前記第二の貯蔵室及び前記第三の貯蔵室の後方以外の領域に配設し、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に冷凍サイクルの蒸発器を上下方向に収容した冷蔵庫。
【請求項２】
前面を開口した断熱箱体内に区画された複数の貯蔵室のうち、少なくとも最下部に引き出し式の第一の貯蔵室と前記引き出し式の第一の貯蔵室の上部に断熱仕切壁で区画された引き出し式の第二の貯蔵室と前記引き出し式の第一の貯蔵室と前記引き出し式の第二の貯蔵室の左右どちらか一方に仕切壁で区画された引き出し式の第三の貯蔵室を設けた冷蔵庫において、冷凍サイクルの圧縮機を前記引き出し式の第一の貯蔵室及び前記引き出し式の第二の貯蔵室の後方以外の領域に配設し、前記引き出し式の第一の貯蔵室の背面と前記引き出し式の第二の貯蔵室の背面とにまたがって上下方向に配置され前記引き出し式の第一の貯蔵室及び前記引き出し式の第二の貯蔵室とは仕切壁で区画された冷却室を設け、前記冷却室の内部に冷凍サイクルの蒸発器を上下方向に収容した冷蔵庫。
【請求項３】
前記第一の貯蔵室内の前記冷却室の仕切壁までの奥行きと前記第二の貯蔵室内の前記冷却室の仕切壁までの奥行きとをほぼ同等の奥行きとした請求項１または２に記載の冷蔵庫。
【請求項４】
前記第一の貯蔵室内の高さと前記第二の貯蔵室内の高さをほぼ同等とした請求項１または２に記載の冷蔵庫。
【請求項５】
前記第一の貯蔵室を冷凍室、前記第二の貯蔵室を野菜室、前記第三の貯蔵室を冷凍室とした請求項１から４のいずれか一項に記載の冷蔵庫。
【請求項６】
前記第一の貯蔵室を冷凍室、前記第二の貯蔵室を冷凍室、前記第三の貯蔵室を野菜室とした請求項１から４のいずれか一項に記載の冷蔵庫。
【請求項７】
前記蒸発器を少なくとも前記第一の貯蔵室を冷却するための第一の蒸発器とし、前記冷却室以外の領域に前記第一の蒸発器とは別に他の貯蔵室を冷却する第二の蒸発器を設けた請求項５または６に記載の冷蔵庫。
【請求項８】
前記圧縮機を前記断熱箱体の天面部に配置した請求項１から７のいずれか一項に記載の冷蔵庫。
【発明の詳細な説明】
【技術分野】
【０００１】
本発明は、圧縮機や蒸発器などの冷凍サイクルの配置構成により貯蔵室の庫内容積有効活用を図る冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来のこの種の冷蔵庫は、最下部に配設された貯蔵室の庫外側後方領域に機械室を形成し、この機械室内に冷凍サイクルの圧縮機を収容するものが一般的であるが、このような構成であると、機械室に最下部の貯蔵室の収納スペースが侵害されて収納容積が減少し、また収納スペースの空間形状も機械室の突出部を除いた複雑な形状となって収納性がよくないものとなっていた。
【０００４】
このような従来からの収納性に関わる問題点を解消する目的のために、断熱箱体の貯蔵室内最上部の後背部が下がるように窪ませた凹部を設け、その凹部に冷凍サイクルの圧縮機などの高圧側の構成機器を収納するという冷蔵庫が提案されている（例えば、特許文献１参照）。
【０００５】
図５は、特許文献１に記載された従来の冷蔵庫の縦断面図を示すものである。
【０００６】
図５に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引き出しタイプの冷凍室引き出し扉６と野菜室引き出し扉７を設けてある。冷蔵室２の庫内には複数の収納棚８が設けられており、冷凍室３と野菜室４には上面開口形状の収納容器９ａ，９ｂが取り付けてある。この収納容器９ａ，９ｂは前後方向のレール（図示せず）に、ローラで前後方向へ移動可能に支持されている。
【０００７】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【０００８】
冷凍サイクルの構成機器である圧縮機１６と凝縮器１７は機械室ファン１８と共に凹部１０内に収まるように配設され、上板１３と背板１４で構成された凹部カバー１５にて覆われている。
【０００９】
また、冷凍サイクルの構成機器である蒸発器２０は断熱箱体１の中段となる冷凍室３の後背部に冷却ファン２１と共に配設されており、最下部の貯蔵室である野菜室４は奥行き深く構成してある。
【００１０】
これにより、断熱箱体１の背面下部に圧縮機１６や凝縮器１７を収納するものと比較して、最下部の貯蔵室である野菜室４の内容積を大きく、深く構成でき、貯蔵室の空間形状も圧縮機１６などの無効スペースによる複雑な形状とならず収納性を高めることができるものである。
【特許文献１】特開２００１−９９５５２号公報
【発明の開示】
【発明が解決しようとする課題】
【００１１】
しかしながら、上記従来の構成では、圧縮機１６を断熱箱体１の天面部に配置することにより、最下部の貯蔵室である野菜室４の内容積、奥行きを大きくし、収納性も高めることができるが、冷凍室３の後背部に蒸発器２０と冷却ファン２１が配設された冷却室を有するため、冷却室前方に形成された冷凍室３の庫内奥行きは減少し、下部に隣接する野菜室４との奥行きが相当に異なることになる。
【００１２】
このため、引き出し式貯蔵室である冷凍室の収納容器９ａと野菜室の収納容器９ｂの奥行きも相当に異なり、冷凍室引き出し扉６と野菜室引き出し扉７を引いて収納容器９ａ，９ｂを最大限に引き出したときの引き出し代が相当に異なるため使用者に違和感を与え、スッキリした統一感が損なわれる。
【００１３】
また、冷凍室３の奥行きが小さいため、野菜室４に比べて使い勝手が悪く、収納性にも優れていない。特に、現在の社会環境から考え、共働き世帯が増加しているため、冷凍室のニーズが高まっている今日、冷凍室の収納容量や収納性を充実させることは重要である。
【００１４】
さらに、引き出し式の冷凍室３の奥行きと野菜室４の奥行きとが相当に異なるため収納容器９ａ，９ｂを前後に移動可能とするためのレールの長さや収納容器９ａ，９ｂを載置してローラによりレール面を摺動するフレームの長さが異なり、比較的部品コストの高いこれら部品を共用化できず、特に操作性を高めるために円滑で精巧な高品質のものを採用すれば高価であり、共用化できなければ製造コスト面で負担が小さくない。
【００１５】
以上のように、上記従来の構成では冷凍サイクルの配置構成を工夫し、圧縮機１６を最下部の貯蔵室の領域から除いて収納容積や収納性を高めても、依然として蒸発器２０の配置構成に工夫がなされていないため最下部の貯蔵室とその直上部の貯蔵室、すなわち冷凍室３と野菜室４の収納容量や収納性に差があり、引き出し式の貯蔵室の場合は収納容器９ａ，９ｂの引き出し代の相違も相俟って使い勝手面の課題を有するほか、製造コスト面での課題も同時に有するものであった。
【００１６】
本発明は、上記従来の課題を解決するもので、複数の貯蔵室を有する冷蔵庫において、最下部の貯蔵室と少なくともこれに隣接する直上部の貯蔵室の使い勝手を改善し、また、収納物の形状や貯蔵温度による区分収納を可能とし、収納性を向上させ、併せて関連する構成部品の製造コストを軽減した冷蔵庫を提供することを目的とする。
【課題を解決するための手段】
【００１７】
上記従来の課題を解決するために、本発明の冷蔵庫は、最下部の第一の貯蔵室と、その上部に仕切壁で区画された第二の貯蔵室と、第一の貯蔵室と第二の貯蔵室の左右どちらか一方に仕切壁で区画された第三の貯蔵室とを配置し、冷凍サイクルの圧縮機を第一の貯蔵室及び第二の貯蔵室及び第三の貯蔵室の後方以外の領域に配設し、第一の貯蔵室の背面と第二の貯蔵室の背面とにまたがって上下方向に仕切壁で区画された冷却室を設け、この冷却室の内部に冷凍サイクルの蒸発器を上下方向に収容したものである。
【００１８】
また、本発明の冷蔵庫は、少なくとも最下部に引き出し式の第一の貯蔵室と、その上部に仕切壁で区画された引き出し式の第二の貯蔵室と、引き出し式の第一の貯蔵室と引き出し式の第二の貯蔵室の左右どちらか一方に仕切壁で区画された引き出し式の第三の貯蔵室とを配置し、冷凍サイクルの圧縮機を引き出し式の第一の貯蔵室及び引き出し式の第二の貯蔵室及び引き出し式の第三の貯蔵室の後方以外の領域に配設する冷蔵庫であって、引き出し式の第一の貯蔵室の背面と引き出し式の第二の貯蔵室の背面とにまたがって上下方向に仕切壁で区画された冷却室を設け、この冷却室の内部に冷凍サイクルの蒸発器を上下方向に収容したものである。
【００１９】
これによって、収納物の形状や貯蔵温度によって貯蔵室を選択して収納ができ、最下部の第一の貯蔵室とその上部に仕切壁で区画された第二の貯蔵室にまたがった背面のほぼ全高を上下方向に蒸発器を収容する冷却室として活用することができ、冷却室の高さを生かして蒸発器の高さ寸法を大きくするとともに蒸発器の奥行き寸法を短縮させれば冷却能力を維持しながら蒸発器の薄型化が図れる。その結果、冷却室の厚みを薄くし二つの貯蔵室内を複雑な空間形状とならずに拡大して使い勝手を向上させることができる。
【００２０】
また、特に最下部の第一の貯蔵室とその上部に仕切壁で区画された第二の貯蔵室が引き出し式の収納容器を備えた貯蔵室である場合は、貯蔵室内の奥行きがほぼ同等であれば収納容器引き出し代もほぼ同等にすることができて使い勝手を高められるほか、引き出し構造に関連する部品等の製造コストも軽減できる。
【発明の効果】
【００２１】
本発明の冷蔵庫は、最下部の貯蔵室と少なくともその直上部の貯蔵室の奥行きを拡大でき、貯蔵室内の空間形状も複雑な形状とならず、収納容積を増大し、収納物の形状や貯蔵温度による区分収納を可能とし、収納性を高めることによって使い勝手を向上させることができる。
【００２２】
また、本発明の冷蔵庫は、最下部の引き出し式貯蔵室と少なくともその直上部の引き出し式貯蔵室の収納容器の引き出し代をほぼ同等に拡大でき、収納性を高めながら使い勝手を向上させることができる。さらに、奥行き寸法がほぼ同等であれば引き出し構造に関連する部品を共用化することができ、製造コストを軽減できる。
【発明を実施するための最良の形態】
【００２３】
請求項１に記載の発明は、前面を開口した断熱箱体内に複数の貯蔵室を区画形成し、最下部の第一の貯蔵室と前記第一の貯蔵室の上部に仕切壁で区画された第二の貯蔵室の左右どちらか一方に仕切壁で区画された第三の貯蔵室を設けた冷蔵庫において、冷凍サイクルの圧縮機を前記第一の貯蔵室及び前記第二の貯蔵室及び前記第三の貯蔵室の後方以外の領域に配設し、前記第一の貯蔵室の背面と前記第二の貯蔵室の背面とにまたがって上下方向に配置され前記第一の貯蔵室及び前記第二の貯蔵室とは仕切壁で区画された冷却室を設け、前記冷却室の内部に冷凍サイクルの蒸発器を上下方向に収容したものであり、第一の貯蔵室と第二の貯蔵室と第三の貯蔵室で貯蔵物の形状や貯蔵温度による区分収納ができる。また、第一の貯蔵室のほぼ底部から第二の貯蔵室のほぼ天部までの二つの貯蔵室にまたがった背面のほぼ全高を上下方向に蒸発器を収容する冷却室として活用することができ、この冷却室の高さを生かして蒸発器の高さ寸法を大きくするとともに蒸発器の奥行き寸法を短縮させれば冷却能力を維持しながら蒸発器の薄型化が図れる。その結果、冷却室の厚みを薄くすることができ、圧縮機が三つの貯蔵室の領域外にあるため三つの貯蔵室内を複雑な空間形状とならずに拡大して収納容積を増大し、収納性を高めて使い勝手を向上させることができる。
【００２４】
請求項２に記載の発明は、前面を開口した断熱箱体内に区画された複数の貯蔵室のうち、少なくとも最下部に引き出し式の第一の貯蔵室と前記引き出し式の第一の貯蔵室の上部に断熱仕切壁で区画された引き出し式の第二の貯蔵室と前記引き出し式の第一の貯蔵室と前記引き出し式の第二の貯蔵室の左右どちらか一方に仕切壁で区画された引き出し式の第三の貯蔵室を設けた冷蔵庫において、冷凍サイクルの圧縮機を前記引き出し式の第一の貯蔵室及び前記引き出し式の第二の貯蔵室の後方以外の領域に配設し、前記引き出し式の第一の貯蔵室の背面と前記引き出し式の第二の貯蔵室の背面とにまたがって上下方向に配置され前記引き出し式の第一の貯蔵室及び前記引き出し式の第二の貯蔵室とは仕切壁で区画された冷却室を設け、前記冷却室の内部に冷凍サイクルの蒸発器を上下方向に収容したものであり、引き出し式の第一の貯蔵室と引き出し式の第二の貯蔵室と引き出し式の第三の貯蔵室で貯蔵物の形状や貯蔵温度による区分収納ができる。また、第一の貯蔵室のほぼ底部から第二の貯蔵室のほぼ天部までの二つの貯蔵室にまたがった背面のほぼ全高を上下方向に蒸発器を収容する冷却室として活用することができ、この冷却室の高さを生かして蒸発器の高さ寸法を大きくするとともに蒸発器の奥行き寸法を短縮させれば冷却能力を維持しながら蒸発器の薄型化が図れる。その結果、冷却室の厚みを薄くすることができ、圧縮機が三つの貯蔵室の領域外にあるため三つの貯蔵室内を複雑な空間形状とならずに拡大して収納容積を増大し、収納性を高めて使い勝手を向上させることができる。
【００２５】
また、貯蔵室内の奥行きの拡大に合わせて引き出し構造に関連する部品を選定すれば、収納容器の引き出し代も拡大することができて引き出し時の収納性や視認性を高めて使い勝手を向上することができる。
【００２６】
請求項３に記載の発明は、請求項１または２に記載の発明において、前記第一の貯蔵室内の前記冷却室の仕切壁までの奥行きと前記第二の貯蔵室内の前記冷却室の仕切壁までの奥行きとをほぼ同等の奥行きとしたものであり、室内の空間形状も複雑な形状とならず大きめの収納物も合理的に収納できて収納性を高めることができ、棚などの庫内部品の共用化によるコスト低減も図れる。
【００２７】
請求項４に記載の発明は、請求項１または２に記載の発明において、前記第一の貯蔵室内の高さと前記第二の貯蔵室内の高さをほぼ同等としたものであり、両室の扉を共用化してコスト低減を図れる可能性が出てくる。また、引き出し式の収納用器を両室で共用化することも考えられ、収納容器は一般的に大型の樹脂成型品であるだけにコストメリットが大きい。
【００２８】
請求項５に記載の発明は、請求項１から４のいずれか一項に記載の発明において、前記第一の貯蔵室を冷凍室、前記第二の貯蔵室を野菜室、前記第三の貯蔵室を冷凍室としたものであり、形状の異なる２つの冷凍室によって収納性を高めるだけでなく、収納物の形状に合わせて貯蔵室を選択することができる。また、最下部の冷凍室の奥行きを拡大することができ、しかも室内の空間形状も複雑な形状とならず大きめの収納物も合理的に収納できて収納性を高めることができ、長期冷凍保存のストック食品のほか短期冷凍保存のフロー食品の増加による冷凍食品の利用頻度の増加にも十分に対応できる利便性の高い冷蔵庫を提供できる。
【００２９】
請求項６に記載の発明は、請求項１から４のいずれか一項に記載の発明において、前記第一の貯蔵室を冷凍室、前記第二の貯蔵室を冷凍室、前記第三の貯蔵室を野菜室としたものであり、野菜や果物の収納性を高め、収納容量を増やすことができ、鮮度管理の利便性も高まる。
【００３０】
請求項７に記載の発明は、請求項５または６に記載の発明に、さらに、前記蒸発器を少なくとも前記第一の貯蔵室を冷却するための第一の蒸発器とし、前記冷却室以外の領域に前記第一の蒸発器とは別に他の貯蔵室を冷却する第二の蒸発器を設けたものであり、冷蔵温度帯の貯蔵室の冷却を第二の蒸発器に分担させ、第一の蒸発器は冷凍温度帯の貯蔵室を主体として冷却するため大きな冷却能力を必要とせず、着霜量も低減する。このため、第一の蒸発器の外形寸法が小型化でき、必然的に奥行き方向の寸法も縮小できて第一の貯蔵室，第二の貯蔵室の奥行きを一層拡大できる。
【００３１】
請求項８に記載の発明は、請求項１から７のいずれか一項に記載の発明において、前記圧縮機を前記断熱箱体の天面部に配置したものであり、圧縮機の配置構成に関して最下部の第一の貯蔵室と第二の貯蔵室と第三の貯蔵室の後方領域以外に配置する際に、冷蔵庫としての高さが許せば他の貯蔵室の収納領域にも影響を及ぼすことなく冷蔵庫全体の収納性を高めて使い勝手を向上することができる。
【００３２】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００３３】
（実施の形態１）
図１は本発明の実施の形態１における冷蔵庫の正面図を示すものである。また、図２は本発明の実施の形態１における冷蔵庫の縦断面図を示すものである。
【００３４】
図１において、例えば硬質発泡ウレタンなどの断熱材で周囲と断熱して構成されている断熱箱体１０１は複数の区画に区分されており、最上部に冷蔵室１０２、最下部に第一の貯蔵室としての第一の冷凍室１０３、冷蔵室１０２と第一の冷凍室１０３との間において第一の冷凍室１０３の直上部に第二の貯蔵室としての野菜室１０４、そして野菜室１０４と第一の冷凍室１０３の左部に第三の貯蔵室としての第二の冷凍室１０５が配置される構成となっている。第一の冷凍室１０３及び野菜室１０４はともに引き出し式貯蔵室の形態を有している。各貯蔵室の前面開口部にはそれぞれ断熱扉である冷蔵室回転扉１０６、第一の冷凍室引き出し扉１０７、野菜室引き出し扉１０８、第二の冷凍室引き出し扉１０９が備えられている。
【００３５】
冷蔵室１０２は冷蔵保存のために凍らない温度を下限に通常１〜５℃で設定されている。また、野菜室１０４は冷蔵室１０２と同等もしくは若干高い温度設定の２℃〜７℃とすることが多い。低温にするほど葉野菜の鮮度を長期間維持することが可能である。
【００３６】
第一の冷凍室１０３及び第二の冷凍室１０５は冷凍温度帯に設定されており、冷凍保存のために通常−２２〜−１８℃で設定されているが、冷凍保存状態の向上のために、たとえば−３０や−２５℃の低温で設定されることもある。
【００３７】
断熱箱体１０１の天面部は冷蔵庫の背面方向に向かって階段状に凹みを設けて、第一の天面部１１０と、第二の天面部１１１で構成されており、この階段状の凹部１１２に圧縮機１１３、水分除去を行うドライヤ（図示せず）等の冷凍サイクルの高圧側の構成部品が収納されている。
【００３８】
すなわち、圧縮機１１３を配設する凹部１１２は、冷蔵室１０２内の最上部の後方領域に食い込んで形成されることになる。したがって、従来一般的であった断熱箱体１０１の最下部の貯蔵室の後方領域に圧縮機１１３は配置されない。
【００３９】
第一の冷凍室１０３と野菜室１０４の両室の背面にまたがって冷却室１１４が設けられ、冷却室１１４は仕切壁としての断熱性を有する第一の仕切壁１１５で第一の冷凍室１０３及び野菜室１０４から仕切られている。
【００４０】
また、第一の冷凍室１０３と野菜室１０４は断熱仕切壁としての断熱性を有する第二の仕切壁１１６で仕切られている。第一の仕切壁１１５および第二の仕切壁１１６は、断熱箱体１０１の発泡後組み立てられる部品であるため、通常断熱材として発泡ポリスチレンが使われるが、断熱性能や剛性を向上させるために硬質発泡ウレタンを用いてもよく、更には高断熱性の真空断熱材を挿入して、仕切り構造のさらなる薄型化を図ってもよい。
【００４１】
また、冷蔵室１０２と野菜室１０４とは第三の仕切壁１１７で仕切られている。第三の仕切壁１１７は必要に応じて、例えば野菜室１０４の上部が直接冷蔵室１０２に隣接するのでなく低温室や製氷室などの冷蔵温度より低い温度帯室に隣接する場合などには断熱材を用いた断熱仕切壁としてもよい。
【００４２】
また、野菜室１０４及び第一の冷凍室１０２と第二の冷凍室１０５とは第四の仕切壁１１８で仕切られている。第四の仕切壁１１８は発泡後に組み立てられる構成にもできるが、通常異なる温度帯室を区画するため、発泡前に組み立てて断熱仕切壁としてもよい。
【００４３】
第一の冷凍室１０３と野菜室１０４にはそれぞれ食品を収納する第一の引き出し式貯蔵室用収納容器としての上面を開口した第一の冷凍室用収納容器１１９と第二の引き出し式貯蔵室用収納容器としての上面を開口した野菜室用収納容器１２０が設けられており、それぞれの収納容器１１９，１２０は図示しない前後方向のレールと収納容器１１９，１２０を載置するローラ付きのフレームにより前後方向へ移動可能に支持されている。
【００４４】
冷却室１１４内には、代表的なものとしてフィンアンドチューブ式の蒸発器１２１が断熱仕切壁である第二の仕切壁１１６の後方領域を含めて第一の冷凍室１０３と野菜室１０４とにまたがって上下方向に配設されている。
【００４５】
上述のように冷凍サイクルの圧縮機１１３が第一の冷凍室１０３の後方領域に存在しないため、冷却室１１４は第一の冷凍室１０３のほぼ底面から野菜室１０４のほぼ天面となる第三の仕切壁１１７の高さまで、断熱仕切壁である第二の仕切壁１１６の後方領域を貫通するような形で極力奥行き方向の厚みを大きくしないように配慮されて、ほぼ同様の厚みで上下方向に一直線上に配置されている。
【００４６】
このことにより、第一の冷凍室引き出し扉１０７の室内側裏面から冷却室１１４の前面壁となる第一の仕切壁１１５までの第一の冷凍室１０３内の奥行きと野菜室引き出し扉１０８の室内側裏面から冷却室１１４の前面壁となる第一の仕切壁１１５までの野菜室１０４内の奥行きはほぼ同等の奥行きに形成されている。
【００４７】
また、同様に冷凍室引き出し扉１０７によって引き出される第一の冷凍室用収納容器１１９の奥行きと野菜室引き出し扉１０８によって引き出される野菜室用収納容器１２０の奥行きはほぼ同等のものが用いられ、その形状についても第一の冷凍室１０３の後方に従来の機械室に相当するような突出部分が食い込まないため双方ともにほぼ直方体状の形状を有している。
【００４８】
また、これに合わせて、第一の冷凍室用収納容器１１９，野菜室用収納容器１２０を前後に移動させるレールの長さもほぼ同等のものが適用される。
【００４９】
以上のように構成された冷蔵庫について、以下その動作、作用を説明する。
【００５０】
まず、冷凍サイクルの動作について説明する。庫内の設定された温度に応じて制御基板（図示せず）からの信号により冷凍サイクルが動作して冷却運転が行われる。圧縮機１１３の動作により吐出された高温高圧の冷媒は、凝縮器（図示せず）にて放熱して凝縮液化し、キャピラリチューブ（図示せず）に至る。その後、キャピラリチューブでは圧縮機１１３への吸入管（図示せず）と熱交換しながら減圧されて低温低圧の液冷媒となって蒸発器１２１に至る。
【００５１】
冷却室１１４内の庫内冷却ファン（図示せず）の動作により、各貯蔵室内の空気と熱交換されて蒸発器１２１内の冷媒は蒸発気化し、低温の冷気をダンパ装置（図示せず）などで供給制御することで各室の所望の冷却を行う。蒸発器１２１を出た冷媒は吸入管を経て圧縮機１１３へと吸い込まれる。
【００５２】
圧縮機１１３を断熱箱体１０１の天面部に配置して第一の冷凍室１０３の後方領域には設置せず、冷却室１１４を第一の冷凍室１０３と野菜室１０４の背面に配置し、蒸発器１２１と庫内冷却ファンを概ね第一の冷凍室１０３と野菜室１０４の高さ範囲内で設け、蒸発器１２１を高さ方向に延長させ奥行き寸法を短縮することにより、冷却室１１４の厚みを薄くして庫内容積として寄与しない無効スペースを減少でき、第一の冷凍室用収納容器１１９と野菜室用収納容器１２０との奥行き寸法をほぼ同等とすることにより、一方の貯蔵室の内容積を減らすことなく第一の冷凍室用収納容器１１９と野菜室用収納容器１２０との奥行き寸法を共に拡大させることができ、収納容量を増やして使い勝手を向上させることができる。
【００５３】
また、野菜室１０４と第一の冷凍室１０３に隣接して第二の冷凍室１０５を設けることで、更に収納性を高め、収納物の形状や貯蔵温度に合わせて貯蔵室を選択して区分収納を行うことができる。
【００５４】
特に、近年、使用者の使用頻度や鮮度管理のしやすさ、人間工学的な使い勝手の観点などから、使用頻度の最も高い冷蔵室を使用者の前面で見開いて出し入れできる上段位置に、重量物の出し入れもありかつ健康志向で日常的に鮮度管理もしたい野菜室を使いやすい中段に、そして長期間出し入れしないストック品などもありかつ取り扱い時の落下などへの配慮も必要な冷凍室を最下段にレイアウトした冷蔵庫が主流になっているが、このレイアウトにおいて圧縮機を含めた機械室の配置で最下段の冷凍室の収納容量を十分に確保できないのが欠点であったが、本実施の形態によると最下段の第一の冷凍室１０３の奥行きを野菜室１０４と同様に拡大することができて、しかも室内の空間形状も複雑な形状とならず大きめの収納物も合理的に収納できて収納性を高めることができるうえ、第一の冷凍室１０３と第二の冷凍室１０５を収納物ごとに使い分けることで、長期冷凍保存のストック食品のほか弁当や惣菜用など短期冷凍保存のフロー食品の増加による冷凍食品の利用頻度の増加や、ペットボトルなどの大きなものを冷凍する際にも十分に対応できる利便性の高い冷蔵庫を提供できる。
【００５５】
これらの収納容量，収納性に関わる効果は、第一の冷凍室１０３，野菜室１０４、第二の冷凍室１０５が引き出し式の貯蔵室でなくても享受できるものであるが、引き出し式の貯蔵室であればさらにその効用は大きい。すなわち、引き出し用のレール長さをほぼ同等のものとすることにより第一の冷凍室用収納容器１１９の引き出し代と野菜室用収納容器１２０の引き出し代をほぼ同等に合わせることが可能となり、使用者が日常、両室の収納容器を引き出して引き出し代が異なることに対して違和感を覚えることがなく、また、引き出された収納容器の形状も双方がほぼ直方体状のシンプルな形状で揃えることができ、引き出したときの統一感があって冷蔵庫の商品品位としても高いものとなる。
【００５６】
また、第一の冷凍室１０３，野菜室１０４内の奥行きがともに拡大する分、レールの選定によっては第一の冷凍室用収納容器１１９，野菜室用収納容器１２０の引き出し代も拡大でき、使用者は収納容器内を広々と見渡しながら物品の出し入れを効率よく行うことができ、使い忘れなどが減って衛生的に管理することもできる。レールの選定にあたっては、摺動性の高い高品位なベアリング式レールや、中間レールを有して庫外側への引き出し代を大きくできるタイプのレールを採用すればその効果を一層享受することができる。
【００５７】
また、第一の冷凍室用収納容器１１９と野菜室用収納容器１２０とを前後方向に移動させるためのレールの長さをほぼ同等のものとすれば、レール全体や構成部品の一部を共用化できるため製造コストを軽減することができる。特に、上述のような高品位，高機能のレールは部品コストが高価であり共用化できるコストダウン効果は製造工程や部品管理上のコスト負担の削減にも繋がり大きいものがある。
【００５８】
なお、このようなコストダウン効果はレールのみならず第一の冷凍室用収納容器１１９，野菜室用収納容器１２０を載置してレール面を移動するフレームなどの関連部品の共用化に波及させることも可能である。
【００５９】
また、第一の冷凍室１０３，野菜室１０４が引き出し式の貯蔵室でなくても、室内奥行きをほぼ同等とすることで、室内に設けられる棚などの部品も共用化が図れる。
【００６０】
また、第一の仕切壁１１５の中に、庫内冷却ファン（図示せず）、各貯蔵室へ冷気を供給する冷気吐出風路（図示せず）および、各貯蔵室から熱交換された冷気が蒸発器１２１に戻る冷気戻り風路（図示せず）を構成することにより、組立が容易となり組立工数を削減できる。
【００６１】
また、第一の冷凍室１０３の高さと野菜室１０４の高さをほぼ同等とし、第一の冷凍室引き出し扉１０７と野菜室引き出し扉１０８の高さをほぼ同等とすることで、冷凍室引き出し扉１０７と野菜室引き出し扉１０８の構成部品を共用化することができ、製造コストを軽減できる。温度差の相違から冷凍室引き出し扉１０７と野菜室引き出し扉１０８の断熱性に差を設ける必要がある場合には断熱材となる硬質発泡ウレタンの壁厚が異なり、断熱扉完成品としての共用化はできないが、野菜室引き出し扉１０８の壁厚基準で冷凍室引き出し扉１０７の表面結露問題などが生じなければ断熱扉完成品としての完全共用化も可能であり、この場合は材料コスト、管理コスト、工数コストを含めた製造コスト全体を大きく軽減できる。さらには市場サービス面においても同一扉であるため在庫管理が容易となる。
【００６２】
また、例えば冷凍室引き出し扉１０７に高断熱性の真空断熱材を用いれば断熱性能を維持しながら野菜室引き出し扉１０８との壁厚の差を吸収でき断熱扉完成品としての外形の共用化が可能となって製造工程での組立性が容易となる。
【００６３】
また、第一の冷凍室１０３と野菜室１０４の高さをほぼ同等とすれば、引き出し式の第一の冷凍室用収納用器１１９と野菜室用収納容器１２０を共用化することも考えられ、一般的に大型の樹脂射出成型品であるだけにコストメリットが大きい。
【００６４】
一方、本実施の形態では圧縮機１１３を断熱箱体１０１の天面部のうち後背部に形成した凹部１１２に収容して、最上部の貯蔵室である冷蔵室１０２の最上部後方に位置するように構成したもので、冷蔵室１０２の最上部後方はもともと使用者の手が届きにくいために利用頻度が極端に低く、実質的な無効スペースとなっていた領域であり、この部に圧縮機１１３を配置しても実質的に収納容積を侵害したことにならず、最下部の第一の冷凍室１０３の後方領域から圧縮機１１３を排除した効果が最大限に生かせ、冷蔵庫全体としての総合的な使い勝手をバランスよく高めることができるメリットがある。
【００６５】
このように、本実施の形態では冷蔵庫全体のバランスを考慮して効果的に使い勝手を高める構成を提案したが、圧縮機１１３の配置構成に関しては最下部の第一の冷凍室１０３と野菜室１０４の後方領域以外に配置すれば、少なくとも第一の冷凍室１０３，野菜室１０４の使い勝手向上に関する目的はほぼ達せられるものであるから、本実施の形態にとらわれず、例えば、冷蔵庫としての高さが許せば断熱箱体１０１の天面上に圧縮機１１３を載置する形態としたり、第一の冷凍室１０３の下部である断熱箱体１０１の底部を底上げして圧縮機１１３を載置する形態とすることも考えられる。
【００６６】
なお、本実施の形態では第一の引き出し式貯蔵室として第一の冷凍室１０３、第二の引き出し式貯蔵室として野菜室１０４、第三の引き出し式貯蔵室として第二の冷凍室１０５としたが、これとは異なる配置で第一の引き出し式貯蔵室として第一の冷凍室１０３、第二の引き出し式貯蔵室として第二の冷凍室１０５、第三の引き出し式貯蔵室として野菜室１０４としても同様の効果を得ることができるほか、野菜や果物の収納性を高め、収納容量を増やすことができ、鮮度管理の利便性を高めることができる。
【００６７】
（実施の形態２）
図３は本発明の実施の形態２における冷蔵庫の正面図を示すものである。また、図４は本発明の実施の形態２における冷蔵庫の縦断面図を示すものである。なお、実施の形態１と同一構成については同一符号を付して説明を省略する。
【００６８】
第一の冷凍室２０１及び野菜室２０２の左部には第二の冷凍室２０３を設け、第一の冷凍室２０１と野菜室２０２の背面領域には第一の冷却室２０４が上下方向に区画され、第一の冷却室２０４内には第一の蒸発器２０５が設けられている。また、冷蔵室２０６内の背面には第二の冷却室２０７が設けられ第二の蒸発器２０８が収容されており、蒸発温度を第一の蒸発器２０５よりも高めて冷蔵温度帯の冷蔵室２０６、野菜室２０２を冷却する。
【００６９】
以上のような構成において、第一の冷凍室２０１，野菜室２０２の背面に配置される第一の蒸発器２０５ではすべての貯蔵室を冷却せず、冷蔵温度帯の貯蔵室の冷却は冷蔵室２０６内に設けた第二の蒸発器２０８に分担させ、第一の蒸発器２０５は第一の冷凍室２０１や第二の冷凍室２０３など冷凍温度帯の貯蔵室を主体に冷却することになるため大きな冷却能力を必要とせず、着霜量も低減する。
【００７０】
このため、第一の蒸発器２０５の外形寸法も小型化でき、必然的に奥行き方向の寸法も縮小できて実施の形態１と比べて一層の薄型化が可能となる。
【００７１】
このようにして、第一の蒸発器２０５の薄型化が図れると第一の冷却室２０４の厚みも一層の薄型化が可能となり、その結果第一の冷凍室２０１と野菜室２０２の室内奥行きを大きく確保できる。これにより、第一の冷凍室２０１，野菜室２０２に関しては実施の形態１以上に収納容積と収納性を高めて使い勝手を一層向上した冷蔵庫を提供することができるものである。
【産業上の利用可能性】
【００７２】
以上のように、本発明にかかる冷蔵庫は、収納物の形状や貯蔵温度により貯蔵室を使い分ける区分収納を可能として、また最下部の貯蔵室と少なくともその直上部の貯蔵室の奥行きをシンプルな形状で拡大して収納性を高めることにより、使い勝手を向上させることができ、多様な貯蔵室を複数有する冷蔵庫や冷凍庫等の用途に広く適用できる。
【図面の簡単な説明】
【００７３】
【図１】本発明の実施の形態１における冷蔵庫の正面図
【図２】本発明の実施の形態２における冷蔵庫の縦断面図
【図３】本発明の実施の形態２における冷蔵庫の正面図
【図４】本発明の実施の形態２における冷蔵庫の縦断面図
【図５】従来の冷蔵庫の縦断面図
【符号の説明】
【００７４】
１０１  断熱箱体
１０２  冷蔵室
１０３  第一の冷凍室（第一の貯蔵室）
１０４  野菜室（第二の貯蔵室）
１０５  第二の冷凍室（第三の貯蔵室）
１０６  冷蔵室回転扉
１０７  第一の冷凍室引き出し扉
１０８  野菜室引き出し扉
１１０  第一の天面部
１１１  第二の天面部
１１２  凹部
１１３  圧縮機
１１４  冷却室
１１５  第一の仕切壁
１１６  第二の仕切壁
１１７  第三の仕切壁
１１８  第四の仕切壁
１１９  収納容器（第一の引き出し式貯蔵室用）
１２０  収納容器（第二の引き出し式貯蔵室用）
１２１  蒸発器
２０１  第一の冷凍室
２０２  野菜室
２０３  第二の冷凍室
２０４  第一の冷却室
２０５  第一の蒸発器
２０６  冷蔵室
２０７  第二の冷却室
２０８  第二の蒸発器
【図１】
2007163062.tif 000003
【図２】
2007163062.tif 000004
【図３】
2007163062.tif 000005
【図４】
2007163062.tif 000006
【図５】
2007163062.tif 000007